(57)【要約】      （修正有）【課題】設定情報の選択や利用に関してユーザーの利便性を向上させる。【解決手段】印刷管理装置１０は、印刷メディアに応じた印刷に必要な設定情報を含んだメディア印刷情報を印刷メディア毎に複数表示可能な第１表示欄と、当該第１表示欄が表示するメディア印刷情報の中から選択されたメディア印刷情報を複数表示可能な第２表示欄とを含む、管理対象である印刷装置３０に関する設定画面を表示する表示部と、第１表示欄が表示する印刷メディア毎のメディア印刷情報を記憶する第１記憶部と、第２表示欄が表示する前記選択されたメディア印刷情報を印刷装置に対応付けて記憶する第２記憶部と、第２表示欄が表示するメディア印刷情報の中から選択されたメディア印刷情報に含まれる設定情報の少なくも一部に対する編集を受け付け、当該受け付けた編集後の設定情報により、第２記憶部が記憶するメディア印刷情報を更新する編集部と、を備える。【選択図】図１
2018097768.tif 000002
【特許請求の範囲】
【請求項１】
印刷メディアに応じた印刷に必要な設定情報を含んだメディア印刷情報を印刷メディア
毎に複数表示可能な第１表示欄と、当該第１表示欄が表示するメディア印刷情報の中から
選択されたメディア印刷情報を複数表示可能な第２表示欄とを含む、管理対象である印刷
装置に関する設定画面を表示する表示部と、
前記第１表示欄が表示する印刷メディア毎のメディア印刷情報を記憶する第１記憶部と
、
前記第２表示欄が表示する前記選択されたメディア印刷情報を前記印刷装置に対応付け
て記憶する第２記憶部と、
前記第２表示欄が表示するメディア印刷情報の中から選択されたメディア印刷情報に含
まれる前記設定情報の少なくも一部に対する編集を受け付け、当該受け付けた編集後の前
記設定情報により、前記第２記憶部が記憶するメディア印刷情報を更新する編集部と、を
備えることを特徴とする印刷管理装置。
【請求項２】
前記第１表示欄が表示する印刷メディア毎のメディア印刷情報には、前記印刷装置とは
別であるが当該印刷管理装置にとって管理対象である第２の印刷装置に対応付けて記憶さ
れた印刷メディア毎のメディア印刷情報群が含まれることを特徴とする請求項１に記載の
印刷管理装置。
【請求項３】
前記印刷装置が前記第２の印刷装置とは異なる機種の印刷装置である場合、前記メディ
ア印刷情報群からのメディア印刷情報の前記選択を禁止することを特徴とする請求項２に
記載の印刷管理装置。
【請求項４】
前記表示部は、外部のサーバーから印刷メディア毎のメディア印刷情報をダウンロード
するための操作画面であるダウンロード用画面を更に表示し、当該ダウンロード用画面に
は、前記印刷装置が使用可能な印刷メディア毎のメディア印刷情報を表示することを特徴
とする請求項１〜請求項３のいずれかに記載の印刷管理装置。
【請求項５】
前記編集部は、前記第２表示欄が表示するメディア印刷情報毎に編集の可否を制御する
ことを特徴とする請求項１〜請求項４のいずれかに記載の印刷管理装置。
【請求項６】
前記表示部は、前記第２表示欄においてメディア印刷情報を印刷メディア毎の識別番号
に対応付けて表示し、前記第２記憶部は、前記第２表示欄が表示する各メディア印刷情報
と前記識別番号を夫々対応付けて記憶することを特徴とする請求項１〜請求項５のいずれ
かに記載の印刷管理装置。
【請求項７】
前記設定画面は、前記第１表示欄において選択されたメディア印刷情報に含まれる設定
情報を表示する第１設定情報表示欄と、前記第２表示欄において選択されたメディア印刷
情報に含まれる設定情報を表示する第２設定情報表示欄とを更に有することを特徴とする
請求項１〜請求項６のいずれかに記載の印刷管理装置。
【請求項８】
前記表示部は、前記印刷装置を含む複数の印刷装置の夫々に対応付けた複数のタブを表
示するとともに、当該複数のタブの中から選択されたタブが対応する印刷装置に関する前
記設定画面を表示することを特徴とする請求項１〜請求項７のいずれかに記載の印刷管理
装置。
【請求項９】
前記編集部は、前記設定情報を編集したメディア印刷情報に対して印刷メディアを特定
するメディア特定情報を新たに付与可能であることを特徴とする請求項１〜請求項８のい
ずれかに記載の印刷管理装置。
【請求項１０】
印刷管理に関する処理をコンピューターに実行させる印刷管理プログラムであって、
印刷メディアに応じた印刷に必要な設定情報を含んだメディア印刷情報を印刷メディア
毎に複数表示可能な第１表示欄と、当該第１表示欄が表示するメディア印刷情報の中から
選択されたメディア印刷情報を複数表示可能な第２表示欄とを含む、管理対象である印刷
装置に関する設定画面の表示を制御する表示制御機能と、
前記第１表示欄が表示する印刷メディア毎のメディア印刷情報を記憶部から読み出した
り、記憶部に記憶させたりする記憶制御機能と、
前記第２表示欄が表示するメディア印刷情報の中から選択されたメディア印刷情報に含
まれる前記設定情報の少なくも一部に対する編集を受け付け、当該受け付けた編集後の前
記設定情報により、前記メディア印刷情報を更新する編集機能と、を実行させることを特
徴とする印刷管理プログラム。
【発明の詳細な説明】
【技術分野】
【０００１】
本発明は、印刷管理装置および印刷管理プログラムに関する。
【背景技術】
【０００２】
印刷メディアに印刷を行う印刷処理システムでは、印刷メディアへの印刷処理を担う印
刷装置（プリンター）と、プリンターが印刷するための印刷データの生成処理を担う画像
処理装置とが異なる装置である場合が多い。例えば、画像処理装置に相当するコンピュー
ター上で印刷データが生成され、プリンターが当該コンピューターから印刷データを受信
して印刷処理を実行する形態が一般的である。特に、いわゆるＬＦＰ（Large Format Pri
nter）の分野では、このようなシステムが多く採用されている。
【０００３】
ここで、印刷に用いる給紙装置として設定された給紙装置にセットされている印刷用紙
の向きおよび種類に対応した画像を形成するための印刷データを生成するプリンタードラ
イバープログラムが開示されている（特許文献１参照）。
【先行技術文献】
【特許文献】
【０００４】
【特許文献１】特開２０１０‐１０２３９８号公報
【発明の概要】
【発明が解決しようとする課題】
【０００５】
上述のシステムにおいて、印刷を完了させ、品質の良好な印刷成果物を得るためには、
印刷に使用する印刷メディアの特性に応じた最適な設定情報が必要となる。しかしながら
、市場には多種多様な印刷メディアが存在するため、印刷メディアに応じた最適な設定情
報も様々である。そのため、ユーザーにとっては、このような設定情報を適切に選択した
り利用したりすることが決して容易ではなかった。
【０００６】
本発明は上述の課題に鑑みてなされたものであり、印刷メディアに応じた印刷に必要な
設定情報の選択や利用に関してユーザーの利便性を向上させる印刷管理装置および印刷管
理プログラムを提供する。
【０００７】
本発明の態様の１つは、印刷管理装置は、印刷メディアに応じた印刷に必要な設定情報
を含んだメディア印刷情報を印刷メディア毎に複数表示可能な第１表示欄と、当該第１表
示欄が表示するメディア印刷情報の中から選択されたメディア印刷情報を複数表示可能な
第２表示欄とを含む、管理対象である印刷装置に関する設定画面を表示する表示部と、前
記第１表示欄が表示する印刷メディア毎のメディア印刷情報を記憶する第１記憶部と、前
記第２表示欄が表示する前記選択されたメディア印刷情報を前記印刷装置に対応付けて記
憶する第２記憶部と、前記第２表示欄が表示するメディア印刷情報の中から選択されたメ
ディア印刷情報に含まれる前記設定情報の少なくも一部に対する編集を受け付け、当該受
け付けた編集後の前記設定情報により、前記第２記憶部が記憶するメディア印刷情報を更
新する編集部と、を備える。
【０００８】
当該構成によれば、ユーザーは、設定画面の第１表示欄に表示されるメディア印刷情報
の中からメディア印刷情報を選ぶことにより、印刷のために利用する（印刷装置に設定す
る）設定情報を含んだメディア印刷情報を容易に選択し、当該印刷装置に対応付けること
ができる。また、当該構成によれば、ユーザーは、印刷装置に対応付けたメディア印刷情
報を任意に編集することができる。
【０００９】
本発明の態様の１つは、前記第１表示欄が表示する印刷メディア毎のメディア印刷情報
には、前記印刷装置とは別であるが当該印刷管理装置にとって管理対象である第２の印刷
装置に対応付けて記憶された印刷メディア毎のメディア印刷情報群が含まれるとしてもよ
い。
当該構成によれば、ユーザーは、設定画面に対応する印刷装置とは別の第２の印刷装置
に既に対応付けられているメディア印刷情報を、当該印刷装置へも容易に対応付けること
ができる。
【００１０】
本発明の態様の１つは、前記印刷装置が前記第２の印刷装置とは異なる機種の印刷装置
である場合、前記メディア印刷情報群からのメディア印刷情報の前記選択を禁止するとし
てもよい。
当該構成によれば、設定画面に対応する印刷装置にとって適切でないメディア印刷情報
が当該印刷装置へ対応付けられることを防止することができる。
【００１１】
本発明の態様の１つは、前記表示部は、外部のサーバーから印刷メディア毎のメディア
印刷情報をダウンロードするための操作画面であるダウンロード用画面を更に表示し、当
該ダウンロード用画面には、前記印刷装置が使用可能な印刷メディア毎のメディア印刷情
報を表示するとしてもよい。
当該構成によれば、設定画面に対応する印刷装置が使用可能な印刷メディア毎のメディ
ア印刷情報がダウンロード用画面に表示されるため、ユーザーは、当該印刷装置による印
刷に際して利用したいメディア印刷情報を容易にダウンロードすることができる。
【００１２】
本発明の態様の１つは、前記編集部は、前記第２表示欄が表示するメディア印刷情報毎
に編集の可否を制御するとしてもよい。
当該構成によれば、第２表示欄が表示する印刷メディア毎のメディア印刷情報の単位で
、ユーザーによる編集を許容したり禁止したりすることができる。
【００１３】
本発明の態様の１つは、前記表示部は、前記第２表示欄においてメディア印刷情報を印
刷メディア毎の識別番号に対応付けて表示し、前記第２記憶部は、前記第２表示欄が表示
する各メディア印刷情報と前記識別番号を夫々対応付けて記憶するとしてもよい。
当該構成によれば、ユーザーは識別番号により第２表示欄における印刷メディア毎のメ
ディア印刷情報を容易に認識することができ、また内部的な制御においても識別番号が対
応付けられていることで印刷メディア毎のメディア印刷情報を容易に識別することができ
る。
【００１４】
本発明の態様の１つは、前記設定画面は、前記第１表示欄において選択されたメディア
印刷情報に含まれる設定情報を表示する第１設定情報表示欄と、前記第２表示欄において
選択されたメディア印刷情報に含まれる設定情報を表示する第２設定情報表示欄とを更に
有するとしてもよい。
当該構成によれば、第１設定情報表示欄および第２設定情報表示欄により、メディア印
刷情報の詳細や、前記編集の結果をユーザーに視認させることができる。
【００１５】
本発明の態様の１つは、前記表示部は、前記印刷装置を含む複数の印刷装置の夫々に対
応付けた複数のタブを表示するとともに、当該複数のタブの中から選択されたタブが対応
する印刷装置に関する前記設定画面を表示するとしてもよい。
当該構成によれば、ユーザーはタブの選択を任意に切替えることにより、所望の印刷装
置に関する設定画面を見ることができる。
【００１６】
本発明の態様の１つは、前記編集部は、前記設定情報を編集したメディア印刷情報に対
して印刷メディアを特定するメディア特定情報を新たに付与可能であるとしてもよい。
当該構成によれば、設定情報を編集したメディア印刷情報について、例えばメディア名
称（メディア特定情報の一種）を新たな名称とすることにより、ユーザーが識別し易いよ
うにすることができる。
【００１７】
本発明の技術的思想は、印刷管理装置という物以外にも様々な態様にて実現される。例
えば、印刷管理装置が実行する工程に相当する方法の発明や、それら工程をハードウェア
（コンピューター）に実行させるプログラムの発明や、プログラムを記憶したコンピュー
ター読取可能な記憶媒体の発明がそれぞれ成立する。また、上述した印刷装置や、印刷管
理装置と印刷装置とを含むシステムもそれぞれ発明として成立する。
【００１８】
一例として、印刷管理に関する処理をコンピューターに実行させる印刷管理プログラム
であって、印刷メディアに応じた印刷に必要な設定情報を含んだメディア印刷情報を印刷
メディア毎に複数表示可能な第１表示欄と、当該第１表示欄が表示するメディア印刷情報
の中から選択されたメディア印刷情報を複数表示可能な第２表示欄とを含む、管理対象で
ある印刷装置に関する設定画面の表示を制御する表示制御機能と、前記第１表示欄が表示
する印刷メディア毎のメディア印刷情報を記憶部から読み出したり、記憶部に記憶させた
りする記憶制御機能と、前記第２表示欄が表示するメディア印刷情報の中から選択された
メディア印刷情報に含まれる前記設定情報の少なくも一部に対する編集を受け付け、当該
受け付けた編集後の前記設定情報により、前記メディア印刷情報を更新する編集機能と、
を実行させるプログラムが把握される。
【図面の簡単な説明】
【００１９】
【図１】印刷処理システムの構成を簡易的に示す図。
【図２】メディアテーブルの構成を示す図。
【図３】画像処理情報の構造を示す図。
【図４】ＵＩ画面を示す図。
【図５】ダウンロード用画面を示す図。
【図６】編集用画面を示す図。
【図７】プリンターが有する印刷設定情報テーブルを示す図。
【図８】メディアリスト選択欄に対する操作例を示す図。
【図９】画像処理装置による印刷データ生成処理を示すフローチャート。
【図１０】プリンターによる印刷処理を示すフローチャート。
【図１１】他の例にかかる設定画面を含んだＵＩ画面を示す図。
【発明を実施するための形態】
【００２０】
以下、各図を参照しながら本発明の実施形態を説明する。なお各図は、本実施形態を説
明するための例示に過ぎない。
１．システムの概略説明：
図１は、本実施形態にかかる印刷処理システム（以下、システム）１の構成を簡易的に
示している。システム１を、印刷管理システム等と呼んでもよい。システム１は、印刷管
理装置１０、画像処理装置２０およびプリンター３０を含んでいる。
【００２１】
印刷管理装置１０、画像処理装置２０およびプリンター３０は、例えば、有線あるいは
無線のＬＡＮ（Local Area Network）４０に接続されており、互いに通信可能である。よ
り具体的には、図示しないルーターを介して公衆通信回線たるインターネット通信網５０
に接続されたＬＡＮ４０に、印刷管理装置１０、画像処理装置２０、プリンター３０など
の各種装置が接続されている。これら各種装置のそれぞれは、システム１内に複数含まれ
ていてもよい。特に本実施形態では、システム１に複数台のプリンター３０が含まれてい
ることを想定する。
【００２２】
インターネット通信網５０には、プリンター３０のファームウェアＦＷや、後述するメ
ディアファイルＭＦ等、システム１の運用に必要な各種情報を保持し且つ公開するメディ
アサーバー６０が少なくとも１台接続される。メディアサーバー６０は、インターネット
通信網５０を介したクラウドサービスを提供するクラウド環境の一部（仮想サーバー）と
して実現されたり、物理サーバーにより実現されたりする。システム１の範疇にメディア
サーバー６０が含まれるとしてもよい。
【００２３】
印刷管理装置１０や画像処理装置２０は、例えば、パーソナルコンピューター（ＰＣ）
や、ＰＣと同等の処理機能を有する情報端末により実現される。
印刷管理装置１０は、制御部１１、記憶部１２、表示部１３、操作受付部１４、通信イ
ンターフェイス（ＩＦ）１５等を含んでいる。制御部１１は、例えば、ＣＰＵ、ＲＯＭ、
ＲＡＭ等を有するＩＣや、その他のメモリー等により構成される。制御部１１では、ＣＰ
Ｕが、プログラムに従った演算処理を、ＲＡＭ等をワークエリアとして用いて実行するこ
とにより印刷管理装置１０の動作を制御する。制御部１１は、このようなプログラムの一
種として、印刷管理に関する処理を印刷管理装置１０に実行させる印刷管理プログラム１
６を搭載している。記憶部１２は、例えば、ハードディスクドライブ（ＨＤＤ）やフラッ
シュメモリー等の記憶媒体により構成される。記憶部１２は、制御部１１の一部であって
もよい。通信ＩＦ１５は、例えばＬＡＮ４０を介して外部と通信するための所定の通信規
格に対応したＩＦの総称である。制御部１１および通信ＩＦ１５は、それらが協働するこ
とにより、外部との通信を制御する印刷管理装置１０における通信制御部として機能する
。
【００２４】
表示部１３は、視覚的情報を表示するための手段であり、例えば、液晶ディスプレイ（
ＬＣＤ）や、有機ＥＬディスプレイ等により構成される。表示部１３は、ディスプレイと
、当該ディスプレイを駆動するための駆動回路とを含む構成であってもよい。操作受付部
１４は、ユーザーによる操作を受け付けるための手段であり、例えば、物理的なボタンや
、タッチパネルや、マウスや、キーボード等によって実現される。むろん、タッチパネル
は、表示部１３の一機能として実現されるとしてもよい。また、表示部１３および操作受
付部１４を含めて操作パネル等と呼ぶことができる。
【００２５】
画像処理装置２０は、制御部２１、記憶部２２、表示部２３、操作受付部２４、通信Ｉ
Ｆ２５等を含んでいる。制御部２１は、例えば、ＣＰＵ、ＲＯＭ、ＲＡＭ等を有するＩＣ
や、その他のメモリー等により構成される。制御部２１では、ＣＰＵが、プログラムに従
った演算処理を、ＲＡＭ等をワークエリアとして用いて実行することにより画像処理装置
２０の動作を制御する。制御部２１は、このようなプログラムの一種として画像処理プロ
グラム２６を搭載している。画像処理プログラム２６は、プリンター３０が印刷に使用す
る色（例えば、シアン（Ｃ）、マゼンダ（Ｍ）、イエロー（Ｙ）、ブラック（Ｋ））毎の
、ビットマップ展開されたラスターデータ（印刷データ）の生成を専門的に行うＲＩＰ（
Raster Image Processor）ソフトウェアとしても機能する。そのため、画像処理プログラ
ム２６をＲＩＰソフトウェアと呼び、画像処理プログラム２６を搭載する画像処理装置２
０をＲＩＰ装置と呼んでもよい。
【００２６】
ＲＩＰは、比較的高画質の印刷成果物を得るために用いられる。例えば、印刷会社で用
いられる業務用の高画質かつ大判のプリンター（ＬＦＰ）に印刷を実行させるために、Ｒ
ＩＰによる印刷データの生成が行われる。記憶部２２、表示部２３、操作受付部２４、通
信ＩＦ２５に関する基本的説明は、記憶部１２、表示部１３、操作受付部１４、通信ＩＦ
１５に関して行った前記説明を準用することができる。制御部２１および通信ＩＦ２５は
、それらが協働することにより、外部との通信を制御する画像処理装置２０における通信
制御部として機能する。
【００２７】
プリンター３０は、ネットワークプリンターとしての一般的な構成を有しており、制御
部３１、記憶部３２、表示部３３、操作受付部３４、通信ＩＦ３５、プリンターエンジン
３６等を含んでいる。制御部３１は、例えば、ＣＰＵ、ＲＯＭ、ＲＡＭ等を有するＩＣや
、その他のメモリー等により構成される。制御部３１では、ＣＰＵが、ファームウェアＦ
Ｗに従った演算処理を、ＲＡＭ等をワークエリアとして用いて実行することによりプリン
ター３０の動作を制御する。記憶部３２、表示部３３、操作受付部３４、通信ＩＦ３５に
関する基本的説明は、記憶部１２、表示部１３、操作受付部１４、通信ＩＦ１５に関して
行った前記説明を準用することができる。制御部３１および通信ＩＦ３５は、それらが協
働することにより、外部との通信を制御する印刷装置３０における通信制御部として機能
する。
【００２８】
プリンターエンジン３６は、制御部３１による制御下で印刷メディアへの印刷動作を実
行する機構である。印刷メディアとは、用紙に限られず、フィルムや繊維等、インクやト
ナーを付着させることができる種々の素材による媒体を指す。プリンターエンジン３６は
、例えば、インクジェット方式によりインク等の液体を吐出して印刷を行う機構である。
プリンターエンジン３６は、インク等の液体を吐出する印刷ヘッド、印刷ヘッドを一定の
走査方向へ移動させるキャリッジ、印刷メディアを搬送する搬送機構、印刷メディアを乾
燥させるためのヒーター等の構成を備える。なお、プリンターエンジン３６が採用する印
刷方式はインクジェット方式に限定されず、電子写真方式など様々な方式を採用可能であ
る。
【００２９】
システム１は、ユーザーに指定された画像から画像処理装置２０が印刷データを生成し
、プリンター３０が指定された印刷メディアに対して印刷データに基づく印刷を実行する
システムである。印刷すべき画像としては、文書作成ソフトウェアで作成されたテキスト
画像、描画ソフトウェアで形成されたグラフィック画像、デジタルカメラで撮影された写
真、スキャナーで読み込まれた画像など種々のものがある。印刷管理装置１０の表示部１
３および制御部１１は、それらが協働することにより、プリンター３０に関する設定画面
を表示する表示部として機能する。
【００３０】
２．メディアテーブルの説明：
次に、メディアテーブルＭＴについて説明する。図１に示すように、印刷管理装置１０
は、記憶部１２にメディアテーブルＭＴを記憶させている。メディアテーブルＭＴには、
印刷メディアへの印刷を実現するために画像処理装置２０、プリンター３０がそれぞれ必
要とする情報が記述されている。
【００３１】
図２は、メディアテーブルＭＴの構成を例示している。メディアテーブルＭＴは、シス
テム１において印刷管理装置１０が管理対象として認識している（予め印刷管理装置１０
に登録されている）プリンター３０毎にまとめられたメディアファイルＭＦの集まりであ
る。例えば、システム１には、プリンター識別情報“ＡＡＡ”、“ＢＢＢ”、“ＣＣＣ”
…で識別される複数台のプリンター３０が含まれているとする。プリンター識別情報には
、例えば、プリンター３０の機種名、ＩＰアドレス、シリアルナンバー、ファームウェア
ＦＷのバージョン情報等が含まれる。
【００３２】
図２に例示するメディアテーブルＭＴでは、プリンター識別情報“ＡＡＡ”のプリンタ
ー３０に対応して、符号“ａａａ”、“ｂｂｂ”、“ｃｃｃ”…で示される印刷メディア
毎のメディアファイルＭＦが用意されている。また、プリンター識別情報“ＢＢＢ”のプ
リンター３０に対応して、符号“ａａａ”、“ｂｂｂ”、“ｄｄｄ”…で示される印刷メ
ディア毎のメディアファイルＭＦが用意されている。また、プリンター識別情報“ＣＣＣ
”のプリンター３０に対応して、符号“ｅｅｅ”、“ｆｆｆ”、“ｇｇｇ”…で示される
印刷メディア毎のメディアファイルＭＦが用意されている。つまり、メディアテーブルＭ
Ｔには、プリンター３０毎に、プリンター３０が使用可能な印刷メディア毎のメディアフ
ァイルＭＦが格納されている。前記符号“ａａａ”、“ｂｂｂ”、“ｃｃｃ”、“ｄｄｄ
”…は、印刷メディアつまり後述のメディア基本情報ＭＩを区別するための便宜上の表記
でもある。
【００３３】
１つのメディアファイルＭＦは、１種類の印刷メディアに対応しており、メディア基本
情報ＭＩ、画像処理情報ＰＩおよび印刷設定情報ＳＩが対応付けられた情報である。
メディア基本情報ＭＩは、印刷メディアに関する様々な情報を含んでおり、例えば、印
刷メディアの名称（メディア名称）、印刷メディアの素材のタイプ（メディアタイプ）、
印刷メディアを市場に提供する提供元（メディアベンダー）、印刷メディアのサイズ（長
さ、幅、重さ）、メディアファイルＭＦの更新日時、当該印刷メディアを使用可能なプリ
ンター３０の機種名等が含まれ得る。上述のメディア特定情報は、このようなメディア基
本情報ＭＩの少なくとも一部（例えば、メディア名称）に該当する。
【００３４】
画像処理情報ＰＩは、対応する印刷メディア用の印刷データの生成のために画像処理装
置２０にとって必要となる情報である。例えば、画像処理情報ＰＩには、カラープロファ
イル、色変換テーブル、ドット振分テーブル等が含まれ得る。カラープロファイルは、例
えば、対応する印刷メディアの発色特性に関連して規定されたＩＣＣ（International Co
lor Consortium）プロファイルである。ＩＣＣプロファイルは、印刷データの生成工程の
色変換処理において、対応する印刷メディア上で画像の色合いを高精度に再現するための
情報であり、画像処理の分野で事実上標準化された客観性を有するものである。
【００３５】
色変換テーブルは、画像の表色系の変換（例えば、ＲＧＢ（レッド、グリーン、ブルー
）表色系からＣＭＹＫ表色系への色変換）に際して用いられるルックアップテーブル（Ｌ
ＵＴ）であり、これも対応する印刷メディアの特性に応じて規定されている。ドット振分
テーブルは、色変換処理により得られたプリンター３０が印刷に使用するインク色（例え
ば、ＣＭＹＫ）毎のラスターデータを、さらに画素毎に複数サイズのドットのいずれかに
振り分けるドット振り分け処理のためのテーブルである。例えば、プリンター３０が一滴
あたりのインク重量が異なる３種類のドット（大ドット、中ドット、小ドット）を吐出可
能なインクジェットプリンターであるとした場合、インク色毎のラスターデータは、画素
毎の階調値がこのような３種類のいずれかのドットのオン情報またはドットのオフ情報に
変換される。
【００３６】
さらに画像処理情報ＰＩについて詳細に説明すると、画像処理情報ＰＩは、ユーザーが
任意に選択可能な印刷モード別に情報を有している。
図３は、ある１種類の印刷メディア（例えば、メディア基本情報ＭＩが“ａａａ”であ
る印刷メディア）に対応する画像処理情報ＰＩであって、印刷モード別に情報が分けられ
ている構造を例示している。当該印刷メディアを用いて印刷する場合、ユーザーは、複数
の印刷モード１，２，３…のいずれかを選択可能であるとする。
【００３７】
印刷モードが異なることで、印刷に要する時間や画質が異なる。図３に例示するように
、画像処理情報ＰＩにおいては、印刷モード１，２，３…毎に、適切なパス数、印刷解像
度、ＩＣＣプロファイル、色変換テーブル、ドット振分テーブル等がそれぞれ定義されて
いる。パス数とは、プリンター３０のキャリッジに搭載された印刷ヘッドが印刷メディア
の一定領域を印刷するために当該領域上を移動する回数であり、基本的には、パス数が多
い程、印刷に要する時間は長くなるが画質は高くなる。必要とされるＩＣＣプロファイル
、色変換テーブル、ドット振分テーブル等は、基本的には印刷モード毎に異なるが、一部
の印刷モード間で共通していることもある。
【００３８】
印刷設定情報ＳＩは、対応する印刷メディアへの印刷のためにプリンター３０にとって
必要となる情報である。例えば、印刷設定情報ＳＩには、前記ヒーターの温度、印刷メデ
ィアの搬送に関するパラメーター、印刷メディアの乾燥時間、印刷メディアを支持するプ
ラテンから印刷ヘッドまでの高さであるプラテンギャップ、印刷ヘッドが有するノズルの
クリーニング頻度等の様々な項目毎の設定値が含まれている。
【００３９】
このようなメディアテーブルＭＴを記憶している点で、印刷管理装置１０の記憶部１２
は、各印刷メディア用の印刷データの生成のために必要となる画像処理情報ＰＩと各印刷
メディアへの印刷のために必要となる印刷設定情報ＳＩとを対応付けた情報であるメディ
ア印刷情報（印刷メディア毎のメディアファイルＭＦ）を、プリンター３０毎に記憶する
メディア印刷情報記憶部、に該当すると言える。また、このような印刷メディア毎のメデ
ィアファイルＭＦは、印刷メディアに応じた印刷に必要な設定情報を含んだメディア印刷
情報であると言える。ここで言う“設定情報”には、画像処理情報ＰＩと印刷設定情報Ｓ
Ｉとが含まれる。あるいは、印刷設定情報ＳＩのみを設定情報と定義してもよい。
【００４０】
メディアサーバー６０は、市場に流通する種々の印刷メディア毎に固有のメディアファ
イルＭＦを登録したメディアリスト６１（図１）を保有している。印刷メディア毎のメデ
ィアファイルＭＦは、例えば、各印刷メディアのメディアベンダーによって生成され、イ
ンターネット通信網５０を介してメディアサーバー６０にアップロードされ、メディアリ
スト６１に登録される。また、メディアベンダーがメディアサーバー６０を管理、運営す
る立場の事業者（メディアサーバー管理者）に対して自社の印刷メディアに関する情報を
提供し、当該提供された情報に基づいてメディアサーバー管理者が生成したメディアファ
イルＭＦがメディアリスト６１に登録されるとしてもよい。
【００４１】
メディアベンダーの中には、プリンターを市場に提供する提供元（プリンターベンダー
）も含まれ得る。また、メディアベンダーやプリンターベンダーがメディアサーバー管理
者であってもよい。また、メディアサーバー６０は、このようなメディアサーバー管理者
の数に応じて存在していてもよい。
【００４２】
メディアサーバー６０では、メディアリスト６１に一旦載せたメディアファイルＭＦを
後に更新する場合がある。例えば、印刷メディアの仕様変更や、印刷メディアへの印刷品
質を向上させるための各種情報（画像処理情報ＰＩ、印刷設定情報ＳＩ）の改善などが行
われる場合がある。また、プリンター３０のファームウェアＦＷが更新されることに伴い
、当該プリンター３０で使用可能な各印刷メディアのメディアファイルＭＦの更新が必要
となる場合もある。メディアサーバー６０において、このようなメディアファイルＭＦの
更新がされたとき、当該更新の日時が、当該メディアファイルＭＦのメディア基本情報Ｍ
Ｉ内の前記更新日時に反映される。
【００４３】
印刷管理装置１０では、制御部１１が印刷管理プログラム１６を実行することにより、
メディアサーバー６０から必要なメディアファイルＭＦを取得する。つまり制御部１１は
、メディアサーバー６０が保持する複数の印刷メディア毎のメディア印刷情報（メディア
ファイルＭＦ）の中から、選択した（所望の）メディアファイルＭＦを取得し、メディア
印刷情報記憶部（記憶部１２）に記憶させる。制御部１１は、通信ＩＦ１５を介して、メ
ディアサーバー６０へアクセスし、管理対象としているあるプリンター３０（ここでは便
宜上、特定プリンターと呼ぶ。）が使用可能な印刷メディアに対応するメディアファイル
ＭＦをメディアサーバー６０に要求する。メディアサーバー６０は、当該要求にかかるメ
ディアファイルＭＦをメディアリスト６１から抽出し、抽出したメディアファイルＭＦを
インターネット通信網５０を通じて印刷管理装置１０へ送信する。このようにして、メデ
ィアファイルＭＦがメディアサーバー６０から印刷管理装置１０へダウンロードされる。
【００４４】
制御部１１は、ダウンロードしたメディアファイルＭＦを、前記特定プリンターに対応
付けて記憶部１２に記憶させる（メディアテーブルＭＴ内に前記特定プリンターに対応す
るメディアファイルＭＦの１つとして記憶させる）。このとき、ダウンロードしたメディ
アファイルＭＦが、現在のメディアテーブルＭＴにおいて前記特定プリンターに対応する
メディアファイルＭＦとして存在しないものであれば、当該ダウンロードしたメディアフ
ァイルＭＦを前記特定プリンターに対応付けてメディアテーブルＭＴに新たに追加する。
一方、ダウンロードしたメディアファイルＭＦと同じ印刷メディアに対応するメディアフ
ァイルＭＦであって、前記更新日時が当該ダウンロードしたメディアファイルＭＦの前記
更新日時よりも古いメディアファイルＭＦが、現在のメディアテーブルＭＴにおいて前記
特定プリンターに対応するメディアファイルＭＦとして存在していれば、当該ダウンロー
ドしたメディアファイルＭＦを前記更新日時が古いメディアファイルＭＦに対して上書き
する。
以上の説明を踏まえ、更に本実施形態の詳細を説明する。
【００４５】
３．メディアファイルＭＦのダウンロード：
図４は、印刷管理プログラム１６を実行する制御部１１が提供するユーザーインターフ
ェイス（ＵＩ）画面１６０を例示している。ＵＩ画面１６０は、表示部１３に表示され、
ユーザーは、操作受付部１４を操作することにより、ＵＩ画面１６０に対する入力を行う
ことができる。あるいは、ＵＩ画面１６０は、印刷管理装置１０に接続する画像処理装置
２０の表示部２３に表示され、ユーザーは、操作受付部２４を操作することにより、ＵＩ
画面１６０に対する入力を行うとしてもよい。
【００４６】
ＵＩ画面１６０は、印刷管理装置１０が管理対象としている複数のプリンター３０それ
ぞれについて、種々の関連情報を表示し、またユーザーからの入力を受け付けるための画
面の一例である。図４の例では、ＵＩ画面１６０は、印刷管理装置１０が管理対象として
いる３台のプリンター３０それぞれに対応付けた３つのタブ１６１，１６２，１６３を表
示している。むろん、管理対象のプリンター３０の台数に応じて当該タブの数が決まる。
タブ１６１，１６２，１６３には、分かり易いように、例えば夫々のプリンター３０の名
称（“ｘｘｘ‐１”、 “ｘｘｘ‐２”、“ｙｙｙ”）が示されている。タブ毎に表示さ
れるプリンター３０の名称は、基本的にはプリンター３０毎のプリンター識別情報のうち
の機種名（例えば、機種名“ｘｘｘ”や“ｙｙｙ”）である。ただし、印刷管理装置１０
が管理対象としている複数のプリンター３０には、同一機種のプリンター３０が複数含ま
れることもある。従って、タブ毎に表示するプリンター３０の名称は、機種名とともにプ
リンター３０の個体を区別するための何らかの表示（ＩＰアドレスや、シリアルナンバー
や、その他の番号等）を含んでいるとしてもよい。また、タブ毎のプリンター３０の名称
表示は、ユーザーがＵＩ画面１６０を通じて任意に編集可能であるとしてもよい。
【００４７】
図４の例では、タブ１６１に表示されたプリンター３０（名称“ｘｘｘ‐１”のプリン
ター３０）およびタブ１６２に表示されたプリンター３０（名称“ｘｘｘ‐２”のプリン
ター３０は、同一機種（機種名“ｘｘｘ”）のプリンターである。ユーザーは、このよう
な複数のタブの中から所望のタブを選択する。制御部１１は、管理対象としている複数台
のプリンター３０のうちＵＩ画面１６０内で選択されたタブが対応する１つのプリンター
３０に関する設定画面１６４をＵＩ画面１６０内に表示させる。図４の例では、タブ１６
１が選択されており、その結果、タブ１６１が対応するプリンター３０（名称“ｘｘｘ‐
１”のプリンター３０）の設定画面１６４が開かれている。以下では、設定画面１６４の
プリンター３０と表現した場合は、現在ＵＩ画面１６０に表示されている設定画面１６４
が対応するプリンター３０を指すものとする。
【００４８】
設定画面１６４には、例えば、メディアリスト選択欄１６５、第１メディアリスト表示
欄１６６、第２メディアリスト表示欄１６７、各種アイコン（サーバーアクセスボタン１
６８、編集ボタン１６９、バックアップボタン１７０、コピーボタン１７１、適用ボタン
１７２…）等が表示されている。メディアサーバー６０からのメディアファイルＭＦの取
得を望むユーザーは、サーバーアクセスボタン１６８を操作（クリックやタップ）する。
制御部１１は、サーバーアクセスボタン１６８への操作を検知した場合、メディアファイ
ルＭＦのダウンロード用画面１９０を新たに生成した上で、通信ＩＦ１５を介してメディ
アサーバー６０へアクセスしてメディアリスト６１を表示部１３（あるいは表示部２３）
に表示させる。ダウンロード用画面１９０は、外部のサーバーから印刷メディア毎のメデ
ィアファイルＭＦをダウンロードするための操作画面の一種である。
【００４９】
図５は、ダウンロード用画面１９０を例示している。ダウンロード用画面１９０は、制
御部１１が提供するウェブページである。ダウンロード用画面１９０には、メディアサー
バー６０が有するメディアリスト６１が表示される。メディアリスト６１は、メディアサ
ーバー６０が有するメディアファイルＭＦの存在を、例えば、メディアベンダー、メディ
ア名称、メディアタイプ、機種名（当該メディアファイルＭＦが対応する印刷メディアを
使用可能なプリンターの機種名）、更新日時等といったメディア基本情報ＭＩに含まれる
幾つかの項目によって示している。
【００５０】
ユーザーは、例えば、ダウンロード用画面１９０に表示されたメディアリスト６１から
任意にメディアファイルＭＦを選択しダウンロードする所定の操作を行う。操作を受ける
と、印刷管理装置１０は、メディアサーバー６０に対して取得したいメディアファイルＭ
Ｆを指定してダウンロード要求を行う。その要求を受けたメディアサーバー６０は、選択
されたメディアファイルＭＦを印刷管理装置１０へ送信する。図４の例では、名称“ｘｘ
ｘ‐１”のプリンター３０の設定画面１６４が開かれており、この設定画面１６４のサー
バーアクセスボタン１６８の操作の結果、ダウンロード用画面１９０が開かれていること
から、ユーザーは、メディアリスト６１から機種名“ｘｘｘ”であるメディアファイルＭ
Ｆを選択し、ダウンロードすることができる。
【００５１】
なお、図４の例のように機種名“ｘｘｘ”のプリンター３０の設定画面１６４が開かれ
、この設定画面１６４のサーバーアクセスボタン１６８の操作の結果、ダウンロード用画
面１９０が生成される場合、制御部１１は、メディアサーバー６０に、メディアサーバー
６０が有するメディアファイルＭＦのうち機種名“ｘｘｘ”に対応するメディアファイル
ＭＦのみを表示するためのデータを要求する。メディアサーバー６０は、当該要求に応え
、保有する大量のメディアファイルＭＦのうち機種名“ｘｘｘ”に対応するメディアファ
イルＭＦのみを表示するためのデータを制御部１１へ送信する。制御部１１は、当該取得
したデータに基づいて、メディアサーバー６０が有するメディアファイルＭＦのうち機種
名“ｘｘｘ”のプリンター３０が使用可能な印刷メディア毎のメディアファイルＭＦのみ
を列挙したリスト（メディアリスト６１の一部分）をダウンロード用画面１９０に表示さ
せる。この結果、ユーザーは、ダウンロード用画面１９０に表示されたメディアリスト６
１から任意にメディアファイルＭＦを選択することにより、機種名“ｘｘｘ”に対応する
メディアファイルＭＦを容易かつ確実にダウンロードすることができる。
【００５２】
さらに、ダウンロード用画面１９０には、メディアリスト６１から所望のメディアファ
イルＭＦを検索するための検索ツール１９１が表示されるとしてもよい。検索ツール１９
１は、ユーザーに入力された検索条件（メディアベンダー、メディアタイプ、機種名等）
に従って、条件が該当するメディアファイルＭＦだけを表示するためのデータをメディア
サーバー６０から取得する。制御部１１は、当該取得したデータに基づいて、メディアサ
ーバー６０が有するメディアファイルＭＦのうち、検索ツール１９１に入力された検索条
件に該当するメディアファイルＭＦのみを列挙したリスト（メディアリスト６１の一部分
）をダウンロード用画面１９０に表示させる。この結果、ユーザーは、ダウンロード用画
面１９０に表示されたメディアリスト６１から任意にメディアファイルＭＦを選択するこ
とにより、所望の条件に合致するメディアファイルＭＦを容易にダウンロードすることが
できる。
【００５３】
メディアリスト選択欄１６５において、例えば“メディアライブラリー”が選択された
状態（図４参照）では、第１メディアリスト表示欄１６６には、設定画面１６４のプリン
ター３０に対応して上述のようにメディアサーバー６０から印刷管理装置１０へダウンロ
ードされたメディアファイルＭＦが表示される。メディアリスト選択欄１６５の詳細につ
いては図８を用いて後述する。図４の例では、第１メディアリスト表示欄１６６には、メ
ディアベンダー、メディア名称、メディアタイプ…といったメディア基本情報ＭＩに含ま
れる幾つかの項目により、前記ダウンロードされた各メディアファイルＭＦの存在がユー
ザーに示されている。このような第１メディアリスト表示欄１６６は、印刷メディアに応
じた印刷に必要な設定情報を含んだメディア印刷情報（メディアファイルＭＦ）を印刷メ
ディア毎に複数表示可能な第１表示欄の具体例に該当すると言える。
【００５４】
設定画面１６４においては、第１メディアリスト表示欄１６６が表示するメディアファ
イルＭＦを、第２メディアリスト表示欄１６７（図４）に登録することができる。制御部
１１は、第２メディアリスト表示欄１６７へは、印刷メディアにメディア番号を付して登
録する。メディア番号とは、例えば、♯１から始まる連番であり、プリンター３０毎に、
そのプリンター３０を含むシステム１内のみで印刷メディアを識別するための便宜上の番
号である。メディア番号は、メディア基本情報ＭＩとしてメディアサーバー６０からダウ
ンロードされるものではない。
【００５５】
ユーザーは、第２メディアリスト表示欄１６７に登録したいメディアファイルＭＦを第
１メディアリスト表示欄１６６内で選択するとともに、対応付けたいメディア番号（例え
ば、メディア番号♯１）を第２メディアリスト表示欄１６７内で選択する。この状況で、
ユーザーは、設定画面１６４内に用意されたコピーボタン１７１を操作する。このような
操作に応じて、制御部１１は、第１メディアリスト表示欄１６６内で選択されているメデ
ィアファイルＭＦに関する表示を、第２メディアリスト表示欄１６７内で選択されている
メディア番号に対応する欄にコピーして表示させる。このような第２メディアリスト表示
欄１６７は、第１表示欄（第１メディアリスト表示欄１６６）が表示するメディア印刷情
報（メディアファイルＭＦ）の中から選択されたメディアファイルＭＦを複数表示可能な
第２表示欄の具体例に該当すると言える。
【００５６】
印刷管理装置１０の記憶部１２には、設定画面１６４のプリンター３０に対応して前記
のようにメディアサーバー６０からダウンロードされた各メディアファイルＭＦを記憶す
る第１記憶領域１２ａと、第２メディアリスト表示欄１６７に登録するメディアファイル
ＭＦを当該設定画面１６４のプリンター３０およびメディア番号と対応付けて記憶する第
２記憶領域１２ｂとが用意されている（図１参照）。従って、制御部１１は、第１記憶領
域１２ａに記憶されている、前記第１メディアリスト表示欄１６６内で選択されたメディ
アファイルＭＦを、コピーボタン１７１の操作に応じてコピーして読み出し、第２記憶領
域１２ｂに、前記第２メディアリスト表示欄１６７内で選択されたメディア番号と対応付
けて貼り付ける処理を実行する。このような第１記憶領域１２ａは、第１表示欄（第１メ
ディアリスト表示欄１６６）が表示する印刷メディア毎のメディア印刷情報（メディアフ
ァイルＭＦ）を記憶する第１記憶部に該当すると言える。また、第２記憶領域１２ｂは、
第１表示欄から選択されたメディアファイルＭＦ（第２表示欄が表示するメディアファイ
ルＭＦ）を、設定画面１６４のプリンター３０に対応付けて記憶する第２記憶部に該当す
ると言える。第１、第２記憶部（記憶領域１２ａ，１２ｂ）は、物理的に分離した記憶媒
体であってもよいし、物理的には共通する記憶媒体内の異なる領域であってもよい。
【００５７】
第１記憶領域１２ａ、第２記憶領域１２ｂともに、印刷管理装置１０が管理対象とする
プリンター３０毎に、プリンター３０に対応付けられた各メディアファイルＭＦを記憶す
る。このように第１記憶領域１２ａまたは第２記憶領域１２ｂに記憶されている、プリン
ター３０毎に対応付けられた各メディアファイルＭＦが、メディアテーブルＭＴ（図２）
の具体的内容例に該当する。
【００５８】
４．印刷設定情報ＳＩの編集：
ユーザーは、第２メディアリスト表示欄１６７に登録したメディアファイルＭＦの印刷
設定情報ＳＩを編集することができる。ユーザーは、印刷設定情報ＳＩを編集する対象の
メディアファイルＭＦ（編集対象ファイル）を第２メディアリスト表示欄１６７内で選択
した状態で、編集開始のための所定操作（編集ボタン１６９の操作）を行う。すると制御
部１１は、当該操作に応じて、編集対象ファイルの印刷設定情報ＳＩを編集するための編
集用画面１８０を、表示部１３（あるいは表示部２３）に表示させる。
【００５９】
図６は、編集用画面１８０を例示している。編集画面１８０は、編集対象ファイルのメ
ディア基本情報ＭＩの一部、例えばメディア名称（メディア設定名）等を編集可能な編集
入力欄１８１を有するが、主に、印刷設定情報ＳＩの各項目を編集可能な編集入力欄１８
２を有している。ユーザーは、編集入力欄１８２に対して任意の入力を行うことで、編集
対象ファイルの現在の印刷設定情報ＳＩの各項目（プラテンギャップ、ヒーターの温度、
印刷メディアの搬送に関するパラメーター、印刷メディアの乾燥時間、クリーニング頻度
…等の各項目）の設定値を変更（編集）することができる。
【００６０】
ユーザーは、編集入力欄１８２等への任意の入力をした上で、編集用画面１８０に用意
されているＯＫボタン１８３を操作する。当該ＯＫボタン１８３への操作に応じて、制御
部１１は、編集用画面１８０の表示を終了させるとともに、当該ＯＫボタン１８３が操作
された時点での編集用画面１８０内での編集内容により、第２記憶領域１２ｂに記憶され
ている編集対象ファイルの印刷設定情報ＳＩ等を更新する。これにより、ユーザーが第２
メディアリスト表示欄１６７内で編集対象ファイルとして任意に選択したメディアファイ
ルＭＦ（例えば、メディア番号♯１のメディアファイルＭＦ）の印刷設定情報ＳＩ等が編
集されたことになる。制御部１１は、記憶部１２の第１記憶領域１２ａに記憶されている
メディアファイルＭＦは編集の対象とせず、記憶部１２の第２記憶領域１２ｂに記憶され
ているメディアファイルＭＦを編集の対象とすることで、メディアサーバー６０から取得
した状態のままのメディアファイルＭＦも保持することができる。
【００６１】
このようにメディア印刷情報記憶部（記憶部１２）が記憶する印刷設定情報ＳＩは、編
集された後の印刷設定情報ＳＩを含むと言える。また、印刷管理装置１０では、制御部１
１、表示部１３、操作受付部１４等が、第２表示欄（第２メディアリスト表示欄１６７）
が表示するメディア印刷情報（メディアファイルＭＦ）の中から選択されたメディアファ
イルＭＦに含まれる設定情報の少なくも一部に対する編集を受け付け、当該受け付けた編
集後の設定情報により、第２記憶部（第２記憶領域１２ｂ）が記憶するメディアファイル
ＭＦを更新する編集部としても機能すると言える。
【００６２】
上述したように編集用画面１８０は、メディア名称（メディア設定名）等を編集可能な
編集入力欄１８１を有する。そのため、ユーザーは、例えば印刷設定情報ＳＩを編集した
編集対象ファイルについて印刷メディアのメディア名称も編集可能である。これにより、
印刷設定情報ＳＩを編集したメディアファイルＭＦについて、編集済みであることを認識
し易くするためにメディア名称を任意に付け直すことができる。編集用画面１８０の編集
入力欄１８１を通じて編集した後のメディア名称は、当然、第２記憶領域１２ｂにおける
記憶および第２メディアリスト表示欄１６７における表示に反映される。このように前記
編集部は、設定情報を編集したメディア印刷情報（メディアファイルＭＦ）に対して印刷
メディアを特定するメディア特定情報を新たに付与可能である。
【００６３】
５．プリンター３０との印刷設定情報ＳＩの同期：
印刷管理装置１０は、管理対象とするプリンター３０毎に対応付けて記憶部１２に記憶
しているメディアファイルＭＦの印刷設定情報ＳＩを、夫々が対応する各プリンター３０
にも記憶させることが可能である。つまり各プリンター３０は、印刷管理装置１０が記憶
する印刷設定情報ＳＩを記憶するための記憶部３２（印刷設定情報記憶部）を備え、記憶
部３２は、印刷管理装置１０から取得した印刷設定情報ＳＩを格納する印刷設定情報テー
ブル３２０（図１）を有している。
【００６４】
この場合、制御部１１は、管理対象としているプリンター３０に対応付けて記憶部１２
の第２記憶領域に記憶している各メディアファイルＭＦの印刷設定情報ＳＩを、当該メデ
ィアファイルＭＦのメディア基本情報ＭＩとともに、通信ＩＦ１５を介して、対応するプ
リンター３０へ送信する。より具体的には、ユーザーは、例えば設定画面１６４に用意さ
れた適用ボタン１７２（図４）を操作する。制御部１１は、適用ボタン１７２が操作され
たことに応じて、当該適用ボタン１７２を有する設定画面１６４のプリンター３０（例え
ば、名称“ｘｘｘ‐１”のプリンター３０）に対応付けて記憶部１２の第２記憶領域１２
ｂに現在記憶されている各メディアファイルＭＦのメディア基本情報ＭＩと印刷設定情報
ＳＩとを、当該プリンター３０へ送信する。
【００６５】
図７は、プリンター３０が有する印刷設定情報テーブル３２０を例示している。プリン
ター３０の制御部３１は、印刷管理装置１０から送信された、自身が使用可能な印刷メデ
ィア毎のメディア基本情報ＭＩと印刷設定情報ＳＩとの組み合わせを、記憶部３２の印刷
設定情報テーブル３２０に格納する。上述したように、メディア基本情報ＭＩには、メデ
ィア名称、メディアタイプ、メディアベンダー、印刷メディアのサイズ、メディアファイ
ルＭＦの更新日時、当該印刷メディアを使用可能なプリンター３０の機種名等、様々な情
報が含まれる。しかし、印刷設定情報テーブル３２０においては、このようなメディア基
本情報ＭＩの全てが必要な訳ではなく、印刷設定情報テーブル３２０内で印刷設定情報Ｓ
Ｉと一対一で対応付けられた、印刷メディアを識別可能な情報が有ればよい。
【００６６】
本実施形態では、印刷設定情報テーブル３２０には、印刷メディア毎のメディア基本情
報ＭＩの他に、プリンター３０を特定したシステム１内でのみ通用する前記メディア番号
が格納されるとする（図７参照）。つまり、制御部１１は、適用ボタン１７２が操作され
た場合、当該適用ボタン１７２を有する設定画面１６４のプリンター３０に対応付けて記
憶部１２の第２記憶領域１２ｂに現在記憶されている各メディアファイルＭＦの、メディ
ア番号と、メディア基本情報ＭＩと、印刷設定情報ＳＩとを、当該プリンター３０へ送信
する。ただし、メディア番号は必須ではなく、印刷メディアを特定できる情報であれば、
例えばメディア名称等の他の情報であってもよい。
【００６７】
プリンター３０が記憶部３２（印刷設定情報テーブル３２０）に記憶する印刷メディア
毎の印刷設定情報ＳＩは、内容が印刷管理装置１０側の印刷設定情報ＳＩと一致している
ことが望ましい。そこで、制御部１１は、記憶部１２においてプリンター３０毎に記憶さ
れている印刷設定情報ＳＩと、各プリンター３０に記憶させる印刷設定情報ＳＩとを同期
させる。上述したように、制御部１１は、適用ボタン１７２が操作された場合、当該適用
ボタン１７２を有する設定画面１６４のプリンター３０に対応付けて記憶部１２の第２記
憶領域１２ｂに“現在”記憶されている各メディアファイルＭＦの印刷設定情報ＳＩを、
当該プリンター３０へ送信する。あるプリンター３０に関し、上述したように編集用画面
１８０を通じて、第２記憶領域１２ｂに記憶されている編集対象ファイル（メディアファ
イルＭＦ）の印刷設定情報ＳＩが編集された場合、その後に当該プリンター３０へ送信さ
れる印刷設定情報ＳＩは、当然、編集後の印刷設定情報ＳＩとなる。
【００６８】
つまり、制御部１１は、記憶部１２（第２記憶領域１２ｂ）における編集後の印刷設定
情報ＳＩをプリンター３０へ送信して記憶させることにより、印刷管理装置１０とプリン
ター３０との間で印刷設定情報ＳＩの同期を実現すると言える。プリンター３０側では、
自身が使用可能な印刷メディアに対応したメディア基本情報ＭＩ（およびメディア番号）
と印刷設定情報ＳＩとの組み合わせを印刷管理装置１０から受信した場合、印刷設定情報
テーブル３２０に当該受信した印刷設定情報ＳＩと同じメディア基本情報ＭＩ（およびメ
ディア番号）に対応する印刷設定情報ＳＩが既に格納されている場合には、当該受信した
印刷設定情報ＳＩを当該同じメディア基本情報ＭＩ（およびメディア番号）に対応する印
刷設定情報ＳＩに上書きする。このように印刷設定情報ＳＩが印刷管理装置１０からプリ
ンター３０へ送信される処理について、プリンター３０側の視点で表現すると、制御部３
１は、印刷管理装置１０に記憶されている印刷設定情報ＳＩと、記憶部３２（印刷設定情
報テーブル３２０）に記憶されている印刷設定情報ＳＩとを同期させると言える。つまり
、制御部３１は、印刷管理装置１０における編集後の印刷設定情報ＳＩを印刷管理装置１
０から取得して記憶部３２（印刷設定情報テーブル３２０）に記憶させることにより、印
刷設定情報ＳＩの同期を実現すると言える。
【００６９】
なお、制御部１１は、編集用画面１８０のＯＫボタン１８３が操作され、かつその後に
、設定画面１６４の適用ボタン１７２が操作された場合に、当該ＯＫボタン１８３が操作
された時点での編集用画面１８０内での編集内容による第２記憶領域１２ｂに記憶されて
いる編集対象ファイル（メディアファイルＭＦ）の印刷設定情報ＳＩの更新と、当該更新
後（編集後）の印刷設定情報ＳＩを対応するプリンター３０へ送信する処理とを、同時に
実行するとしてもよい。このような構成によれば、印刷管理装置１０側での印刷設定情報
ＳＩの編集を、即座に、プリンター３０側で保有する印刷設定情報ＳＩに反映させること
ができる。
【００７０】
上述したような、ＵＩ画面１６０における設定画面１６４を通じたメディアファイルＭ
Ｆのダウンロードや、第１メディアリスト表示欄１６６が表示するメディアファイルＭＦ
をメディア番号に対応付けて第２メディアリスト表示欄１６７に登録する処理や、印刷設
定情報ＳＩ等を編集する処理や、印刷設定情報ＳＩをプリンター３０へ送信する処理（印
刷設定情報ＳＩを同期させる処理）の手順は、印刷管理装置１０が管理対象としている他
のプリンター３０（名称“ｘｘｘ‐２”や“ｙｙｙ”のプリンター３０）のタブ１６２，
１６３（図４）が選択された場合も同様である。また、制御部１１は、管理対象としてい
る各プリンター３０が使用可能な印刷メディア毎のメディアファイルＭＦが、メディアサ
ーバー６０のメディアリスト６１において新たに登録されたり更新されたりすることを、
メディアサーバー６０との通信により定期的にチェックし、チェックの結果に応じ、ダウ
ンロード未実施のメディアファイルＭＦをプリンター３０に対応付けてメディアサーバー
６０から自動的にダウンロードするとしてもよい。
【００７１】
プリンター３０は、印刷設定情報ＳＩの編集や同期に関して常に受け身であるとは限ら
ない。制御部３１は、印刷設定情報テーブル３２０に印刷メディア毎（メディア基本情報
ＭＩ毎）に格納されている印刷設定情報ＳＩのいずれかを選択した編集の要求を、操作受
付部３４への所定操作に応じて受け付ける。制御部３１は、このような編集の要求を受け
付けたとき、例えば、上述の編集用画面１８０に相当する編集用画面（プリンター側編集
用画面）を表示部３３へ表示させる。そして制御部３１は、表示部３３に表示させたプリ
ンター側編集用画面を通じて、前記選択された印刷設定情報ＳＩに対する、ユーザーによ
る操作受付部３４の操作に応じた任意の編集を受け付ける。
【００７２】
ユーザーは、プリンター側編集用画面への任意の入力をした上で、例えば、プリンター
側編集用画面に用意されているＯＫボタンを操作する。当該ＯＫボタンへの操作に応じて
、制御部３１は、プリンター側編集用画面の表示を終了させるとともに、当該ＯＫボタン
が操作された時点でのプリンター側編集用画面内での編集内容により、印刷設定情報テー
ブル３２０に格納されている前記選択された印刷設定情報ＳＩを更新する。これにより、
ユーザーがプリンター３０が有する印刷設定情報テーブル３２０内で編集対象として任意
に選択した印刷設定情報ＳＩが編集されたことになる。
【００７３】
このようにプリンター３０は、制御部３１、表示部３３、操作受付部３４等が、印刷設
定情報ＳＩに対する編集を受け付ける編集受付部としても機能すると言え、当該編集受付
部は、受け付けた操作に応じて編集した印刷設定情報ＳＩにより、印刷設定情報記憶部（
記憶部３２）が記憶している印刷設定情報テーブル３２０内の印刷設定情報ＳＩを更新す
る。
【００７４】
プリンター３０は、上述したようにプリンター側編集用画面を通じて、印刷設定情報テ
ーブル３２０内の印刷設定情報ＳＩが編集された場合、当該編集後の印刷設定情報ＳＩを
、対応するメディア基本情報ＭＩ（および又はメディア番号）とともに通信ＩＦ３５を介
して印刷管理装置１０へ送信する。つまり、制御部３１は、印刷設定情報記憶部（記憶部
３２）における編集後の印刷設定情報ＳＩを印刷管理装置１０へ送信して記憶させること
により印刷設定情報ＳＩの同期を実現する。印刷管理装置１０側では、メディア基本情報
ＭＩ（および又はメディア番号）と印刷設定情報ＳＩとの組み合わせをプリンター３０か
ら受信した場合、当該プリンター３０および当該受信したメディア基本情報ＭＩ（および
又はメディア番号）に対応して記憶部１２の第２記憶領域１２ｂに記憶されている印刷設
定情報ＳＩを、当該受信した印刷設定情報ＳＩにより上書きする。これを印刷管理装置１
０側の視点で表現すると、制御部１１は、プリンター３０における編集後の印刷設定情報
ＳＩをプリンター３０から取得してメディア印刷情報記憶部（記憶部１２）に記憶させる
ことにより印刷設定情報ＳＩの同期を実現すると言える。
このように本実施形態では、印刷管理装置１０、プリンター３０のいずれにおいても印
刷設定情報ＳＩを編集し、編集結果を両装置間で同期させることができる。そのため、印
刷メディア毎のプリンター３０の設定を編集したいと望むユーザーの利便性が向上する。
【００７５】
６．メディアファイルＭＦのコピー元の選択：
これまでの説明から判るように、設定画面１６４の第２メディアリスト表示欄１６７は
、当該設定画面１６４のプリンター３０に設定する印刷設定情報ＳＩを含んだメディアフ
ァイルＭＦの一覧を示している。また、第１メディアリスト表示欄１６６は、第２メディ
アリスト表示欄１６７へ登録可能な複数のメディアファイルＭＦを記憶している記憶元（
コピー元）が有するメディアファイルＭＦの一覧を示していると言える。メディアリスト
選択欄１６５（図４）において選択され得る前記“メディアライブラリー”は、このよう
なコピー元の１種である。
【００７６】
図８は、設定画面１６４内のメディアリスト選択欄１６５に対する操作例を示している
。メディアリスト選択欄１６５は、例えば、プルダウンメニュー形式のＧＵＩである。メ
ディアリスト選択欄１６５には、前記コピー元の候補として、“メディアライブラリー”
の他に、設定画面１６４のプリンター３０（名称“ｘｘｘ‐１”）以外の各プリンター３
０（名称“ｘｘｘ‐２”や“ｙｙｙ”のプリンター３０）に対応する表示が含まれる。ま
た、メディアリスト選択欄１６５には、前記コピー元の候補として、“カスタムメディア
バックアップ”という項目も含まれる。ユーザーは、メディアリスト選択欄１６５に対す
る操作により、いずれかのコピー元を任意に選択することができる。
【００７７】
制御部１１は、メディアリスト選択欄１６５で“メディアライブラリー”が選択された
場合は、上述したように、設定画面１６４のプリンター３０（名称“ｘｘｘ‐１”）に対
応付けてメディアサーバー６０からダウンロードして記憶部１２の第１記憶領域１２ａに
記憶済みの各メディアファイルＭＦを、第１メディアリスト表示欄１６６に表示させる。
【００７８】
一方、前記コピー元として、メディアリスト選択欄１６５で“ｘｘｘ‐２”が選択され
た場合、制御部１１は、ＵＩ画面１６０でタブ１６２が選択されたときの設定画面１６４
における第２メディアリスト表示欄１６７へ登録済み（名称“ｘｘｘ‐２”のプリンター
３０に対応付けて記憶部１２の第２記憶領域１２ｂに記憶済み）の各メディアファイルＭ
Ｆを、現在の設定画面１６４の第１メディアリスト表示欄１６６に表示させる。また、メ
ディアリスト選択欄１６５で“ｙｙｙ”が選択された場合、制御部１１は、ＵＩ画面１６
０でタブ１６３が選択されたときの設定画面１６４における第２メディアリスト表示欄１
６７へ登録済み（名称“ｙｙｙ”のプリンター３０に対応付けて記憶部１２の第２記憶領
域１２ｂに記憶済み）の各メディアファイルＭＦを、現在の設定画面１６４の第１メディ
アリスト表示欄１６６に表示させる。
【００７９】
つまり、プリンター３０（例えば、名称“ｘｘｘ‐１”のプリンター３０）に関する設
定画面１６４のメディアリスト選択欄１６５においてコピー元の選択を別のプリンター３
０（第２のプリンター３０（例えば、名称“ｘｘｘ‐２”や “ｙｙｙ”のプリンター３
０））に切替えることで、第１メディアリスト表示欄１６６に、当該第２のプリンター３
０に対応付けて第２記憶領域１２ｂに記憶済みの各メディアファイルＭＦを表示すること
ができる。そして、制御部１１は、メディアリスト選択欄１６５で“メディアライブラリ
ー”が選択されている場合と同様に、ユーザーの操作に応じて第１メディアリスト表示欄
１６６からメディアファイルＭＦを選択し、第２メディアリスト表示欄１６７へ登録する
ことができる。
【００８０】
例えば、名称“ｘｘｘ‐２”のプリンター３０に関する設定画面１６４上で第２メディ
アリスト表示欄１６７へ登録済み（名称“ｘｘｘ‐２”のプリンター３０に対応付けて第
２記憶領域１２ｂに記憶済み）のメディアファイルＭＦを、名称“ｘｘｘ‐１”のプリン
ター３０に関する設定画面１６４上で第１メディアリスト表示欄１６６において選択し、
コピーして第２メディアリスト表示欄１６７へ登録する（名称“ｘｘｘ‐１”のプリンタ
ー３０及び選択されたメディア番号に対応付けて、第２記憶領域１２ｂに記憶させる）。
【００８１】
上述したように、あるプリンター３０に対応付けて第２記憶領域１２ｂに記憶させたメ
ディアファイルＭＦは、印刷設定情報ＳＩが編集される場合があり、この印刷設定情報Ｓ
Ｉは当該プリンター３０に送信されて（印刷設定情報テーブル３２０に格納されて）印刷
管理装置１０と当該プリンター３０との間で同期が図られる。そのため、あるプリンター
３０に対応付けて第２記憶領域１２ｂに記憶させたメディアファイルＭＦを、上述のよう
に他のプリンター３０の設定画面１６４上で第１メディアリスト表示欄１６６から選択し
て第２メディアリスト表示欄１６７へ登録することで、１台のプリンター３０に記憶させ
た印刷設定情報ＳＩを、そのまま他のプリンター３０にも記憶させることができる。つま
り、ある印刷メディアに対応する印刷設定情報ＳＩ（例えば、編集済みの印刷設定情報Ｓ
Ｉ）を、複数のプリンター３０間で容易に共通化することができる。
【００８２】
ただしこのような印刷設定情報ＳＩの共通化は、基本的には同一機種のプリンター３０
間で実行されるべきである。そこで、制御部１１は、設定画面１６４のプリンター３０が
前記第２のプリンター３０とは異なる機種である場合、第１メディアリスト表示欄１６６
が表示する前記第２のプリンター３０に対応するメディアファイルＭＦ群からのメディア
ファイルＭＦの選択を禁止する。具体的には、制御部１１は、名称“ｘｘｘ‐１”のプリ
ンター３０の設定画面１６４上で、メディアリスト選択欄１６５において“ｘｘｘ‐２”
が選択され、第１メディアリスト表示欄１６６に当該“ｘｘｘ‐２”のプリンター３０に
対応付けて第２記憶領域１２ｂに記憶済みの各メディアファイルＭＦを表示した場合には
、第１メディアリスト表示欄１６６からのメディアファイルＭＦの選択を許容する。一方
、名称“ｘｘｘ‐１”のプリンター３０の設定画面１６４上で、メディアリスト選択欄１
６５において“ｙｙｙ”が選択され、第１メディアリスト表示欄１６６に当該“ｙｙｙ”
のプリンター３０に対応付けて第２記憶領域１２ｂに記憶済みの各メディアファイルＭＦ
を表示した場合には、第１メディアリスト表示欄１６６からのメディアファイルＭＦの選
択を禁止する。
【００８３】
第１メディアリスト表示欄１６６からのメディアファイルＭＦの選択を禁止するとは、
操作受付部１４等を介した第１メディアリスト表示欄１６６に対する選択の指示を受け付
けないということである。制御部１１は、第１メディアリスト表示欄１６６からのメディ
アファイルＭＦの選択を禁止する場合には、例えば、第１メディアリスト表示欄１６６を
グレーアウト表示することで、メディアファイルＭＦを選択不能にする。
【００８４】
制御部１１は、第２メディアリスト表示欄１６７で選択されたメディアファイルＭＦの
バックアップファイルを生成し保存することが可能である。具体的には、ユーザーは、第
２メディアリスト表示欄１６７内でいずれかのメディア番号に対応する欄を選択した状態
で、バックアップボタン１７０を操作する。制御部１１は、バックアップボタン１７０が
操作された場合、現在、第２メディアリスト表示欄１６７内で選択されているメディアフ
ァイルＭＦ（第２記憶領域１２ｂに記憶されているメディアファイルＭＦ）をコピーし、
設定画面１６４のプリンター３０と前記選択されたメディア番号とに対応付けてバックア
ップファイルとして記憶部１２に記憶させる。ユーザーは、第２メディアリスト表示欄１
６７に登録した印刷メディアについて、任意のタイミングでバックアップファイルを生成
するための上述の操作を行うことができる。従って、あるメディアファイルＭＦについて
、印刷設定情報ＳＩの１回目の編集後、バックアップファイルが生成され、さらに印刷設
定情報ＳＩの２回目の編集がされた場合は、２回目の編集後の印刷設定情報ＳＩ（現在、
プリンター３０との間で同期されている印刷設定情報ＳＩ）と、１回目の編集後の印刷設
定情報ＳＩ（バックアップファイル）とが存在することになる。
【００８５】
前記コピー元として、メディアリスト選択欄１６５で“カスタムメディアバックアップ
”が選択された場合、制御部１１は、記憶部１２に記憶されている各バックアップファイ
ルを第１メディアリスト表示欄１６６に表示させる。このとき、制御部１１は、記憶部１
２に記憶されている各バックアップファイルのうち、設定画面１６４のプリンター３０に
対応付けて記憶されているバックアップファイルおよび設定画面１６４のプリンター３０
と同一機種の別のプリンター３０に対応付けて記憶されているバックアップファイルだけ
を、第１メディアリスト表示欄１６６に表示させるとしてもよい。これにより制御部１１
は、メディアリスト選択欄１６５で“メディアライブラリー”や“ｘｘｘ‐２”が選択さ
れている場合と同様に、第１メディアリスト表示欄１６６に表示されているメディアファ
イルＭＦ（バックアップファイル）をユーザーの操作に応じて選択し、第２メディアリス
ト表示欄１６７へ登録することが可能となる。
【００８６】
例えば、印刷管理装置１０による管理対象とされていたプリンター３０は、同一機種の
新たな機体に交換されることがある。印刷管理装置１０は、当該新たな機体（交換後プリ
ンター）に対して、印刷メディア毎の印刷設定情報ＳＩを設定する必要がある。このよう
な場合に、メディアリスト選択欄１６５で“カスタムメディアバックアップ”を選択すれ
ば、ユーザーは、過去に交換後プリンターと同一機種のプリンター３０に対応付けて生成
したバックアップファイルを第１メディアリスト表示欄１６６から選択して第２メディア
リスト表示欄１６７へ登録する操作を行うだけで、交換後プリンターに対して容易に印刷
メディア毎の印刷設定情報ＳＩを設定することができる。
【００８７】
７．画像処理装置２０による印刷データ生成処理：
次に、システム１における画像処理装置２０の動作を説明する。
図９は、画像処理装置２０の制御部２１が画像処理プログラム２６を実行することによ
り実現する印刷データ生成処理をフローチャートにより示している。
制御部２１は、印刷すべき画像を示す画像データをユーザーの操作に応じて取得する（
ステップＳ１００）。ここで言う画像データとは、例えば、画像処理装置２０が搭載する
文書作成ソフトウェアや描画ソフトウェアにより生成された画像データ、外部のデジタル
カメラやスキャナーやその他のＰＣ等から入力した画像データ等である。
【００８８】
制御部２１は、印刷処理を実行させるプリンター３０および印刷に使用する印刷メディ
アの指定を受け付ける（ステップＳ１１０）。制御部２１は、例えば、管理対象とされて
いるプリンター３０および各プリンター３０が使用可能な印刷メディアを、通信ＩＦ２５
を介して印刷管理装置１０へ問い合わせる。当該問い合わせを画像処理装置２０から受け
た印刷管理装置１０の制御部１１は、管理対象としている各プリンター３０のプリンター
識別情報等と、記憶部１２（第２記憶領域１２ｂ）に各プリンター３０に対応付けて記憶
されている各メディアファイルＭＦのメディア基本情報ＭＩとを、通信ＩＦ１５を介して
、当該問い合わせの送信元である画像処理装置２０へ送信する。このとき、制御部１１は
、各プリンター３０のプリンター識別情報等と、記憶部１２（第２記憶領域１２ｂ）に各
プリンター３０に対応付けて記憶されている各メディアファイルＭＦのメディア基本情報
ＭＩとに加え、各プリンター３０に対応付けて記憶されている各メディアファイルＭＦの
メディア番号を画像処理装置２０へ送信してもよい。以下では、印刷メディアに関するメ
ディア基本情報ＭＩおよびメディア番号をまとめて、メディア基本情報ＭＩ等、と呼ぶ。
【００８９】
制御部２１は、印刷管理装置１０から上述のように送信された各プリンター３０のプリ
ンター識別情報等と、各プリンター３０に対応するメディア基本情報ＭＩ等とに基づいて
、プリンター３０および印刷メディアの指定を入力するためのＵＩ画面（印刷条件入力Ｕ
Ｉ画面）を生成し、表示部２３に表示させる。印刷条件入力ＵＩ画面には、例えば、各プ
リンター３０のプリンター識別情報に基づいて、各プリンター３０の機種名、ＩＰアドレ
ス、シリアルナンバー、ファームウェアのバージョン等が表示される。この場合、印刷条
件入力ＵＩ画面には、上述のＵＩ画面１６０におけるタブ（タブ１６１，１６２，１６３
）毎のプリンター３０の名称が印刷管理装置１０から送信された情報（プリンター識別情
報等）に基づいて表示されるとしてもよい。さらに、印刷条件入力ＵＩ画面には、例えば
、各プリンター３０に対応するメディア基本情報ＭＩ等に基づいて、プリンター３０毎の
使用可能な印刷メディアの情報（メディア名称、メディアタイプ、メディアベンダー、メ
ディア番号等）が表示される。従って、ユーザーは、印刷条件入力ＵＩ画面を見ることに
より、指定可能なプリンター３０とプリンター３０毎の指定可能な印刷メディアとを知る
ことができる。ユーザーは、操作受付部２４を操作することにより、印刷条件入力ＵＩ画
面に対して、プリンター３０を指定する入力と、当該指定したプリンター３０において使
用可能な印刷メディアの中から印刷メディアを指定する入力とを行う。制御部２１は、こ
のような指定を受け付ける。
【００９０】
プリンター３０および印刷メディアの指定を受け付けた画像処理装置２０は、当該指定
されたプリンター３０および印刷メディアに対応する画像処理情報ＰＩを、印刷管理装置
１０から取得する（ステップＳ１２０）。この場合、画像処理装置２０は、プリンター３
０を指定するプリンター指定情報および印刷メディアを指定するメディア指定情報を、通
信ＩＦ２５を介して印刷管理装置１０へ送信する。プリンター指定情報とは、印刷管理装
置１０が管理対象としているプリンター３０のそれぞれを一義的に示す情報であればよく
、例えば、プリンター３０の機種名である。上述したように印刷管理装置１０が管理する
複数台のプリンター３０の中に同一機種のプリンター３０が複数含まれている場合を想定
し、プリンター指定情報は、例えば、機種名とＩＰアドレスやシリアルナンバーとの組み
合わせや、上述のＵＩ画面１６０におけるタブ毎のプリンター３０の名称であってもよい
。
【００９１】
メディア指定情報とは、指定されたプリンター３０が使用可能な印刷メディアのそれぞ
れを一義的に示す情報であればよく、メディア名称等であってもよい。本実施形態では、
メディア指定情報としてより単純なメディア番号を用いる。制御部２１は、上述したよう
にステップＳ１１０で印刷条件入力ＵＩ画面を表示する際に、印刷管理装置１０から印刷
メディア毎のメディア基本情報ＭＩ等を取得済みであり、メディア番号はこのメディア基
本情報ＭＩ等に含まれている。例えば、ユーザーが、印刷条件入力ＵＩ画面を通じて、名
称“ｘｘｘ‐１”のプリンター３０を指定し、かつ当該“ｘｘｘ‐１”のプリンター３０
が使用可能な複数の印刷メディアの中からメディア番号♯１が付された印刷メディアを指
定したと仮定する。この場合、画像処理装置２０は、名称“ｘｘｘ‐１”のプリンター３
０を指定するプリンター指定情報と、メディア指定情報（＝メディア番号♯１）とを印刷
管理装置１０へ送信する。
【００９２】
プリンター指定情報およびメディア指定情報を画像処理装置２０から入力した印刷管理
装置１０の制御部１１は、プリンター指定情報が指定するプリンター３０およびメディア
指定情報が示す印刷メディアに対応して記憶部１２（第２記憶領域１２ｂ）に記憶されて
いるメディアファイルＭＦから、画像処理情報ＰＩを読み出す。そして、当該読み出した
画像処理情報ＰＩを、通信ＩＦ１５を介して、前記プリンター指定情報およびメディア指
定情報の送信元である画像処理装置２０へ送信する。これにより、画像処理装置２０は、
指定されたプリンター３０および印刷メディアに対応する印刷データの生成に必要な画像
処理情報ＰＩを取得できたことになる。
【００９３】
次に、制御部２１は、前記取得した画像処理情報ＰＩに基づいて、前記指定された印刷
メディア用の印刷データを生成する（ステップＳ１３０）。この場合、前記取得した画像
データに対して、画像処理情報ＰＩに基づく画像処理を実行することにより、前記指定さ
れたプリンター３０が印刷に使用するインク色（例えば、ＣＭＹＫ）毎のラスターデータ
（印刷データ）を生成する。例えば、制御部２１は、画像データに対して、画像処理情報
ＰＩに含まれる印刷解像度に応じた解像度変換処理や、色変換テーブルを用いた色変換処
理や、カラープロファイルを用いたカラーマッチングや、ドット振分テーブルを用いたド
ット振り分け処理や、パス数に応じたデータの並び替え処理を実行し、最終的にプリンタ
ー３０へ提供する形態の印刷データを生成する。
【００９４】
上述したように、画像処理情報ＰＩは印刷モード別に情報を有している場合がある（図
３）。画像処理情報ＰＩが印刷モード別の情報を有している場合、制御部２１は、それら
印刷モードのいずれかを指定させるためのＵＩ画面を表示部２３に表示させ、ユーザーの
操作受付部２４の操作による印刷モードの指定を受け付ける。そして、制御部２１は、当
該指定された印刷モードに対応するパス数、印刷解像度、カラープロファイル、色変換テ
ーブル、ドット振分テーブル等の画像処理情報ＰＩに基づいて、印刷データを生成する。
つまり、ユーザーが任意に指定したプリンター３０、印刷メディアおよび印刷モードの組
合せに最適な印刷データが生成される。
【００９５】
制御部２１は、前記のように生成した印刷データを、印刷メディアを指定する前記メデ
ィア指定情報とともに、通信ＩＦ２５を介して前記指定されたプリンター３０へ送信する
（ステップＳ１４０）。むろん、ステップＳ１４０で印刷データとともに送信するメディ
ア指定情報は、ステップＳ１１０で受け付けた指定にかかる印刷メディアを示す情報（こ
こでは、メディア番号）であり、ステップＳ１４０における送信先のプリンター３０は、
ステップＳ１１０で受け付けた指定にかかるプリンター３０である。印刷データとともに
メディア指定情報を送信するとは、印刷データにメディア指定情報を付随させたり紐づけ
たりして送信する態様や、印刷データ内にメディア指定情報を含めて送信する態様等を含
む。なお、印刷データの生成に際して上述したように印刷モードの指定を受けた場合には
、制御部２１は、ステップＳ１４０では、この指定された印刷モード、つまり印刷に際し
て採用すべき印刷モードを指定する印刷モード指定情報も含めて、印刷データをプリンタ
ー３０へ送信する。印刷モード指定情報は、印刷モードの具体的内容、例えば、パス数等
を含む情報である。
【００９６】
８．プリンター３０による印刷処理：
図１０は、プリンター３０の制御部３１がファームウェアＦＷに従って実行する印刷処
理をフローチャートにより示している。
制御部３１は、通信ＩＦ３５を介して外部から印刷データを受信したか否かを判定する
（ステップＳ２００）。印刷データを受信した場合（ステップＳ２００において“Ｙｅｓ
”）、処理をステップＳ２１０へ進める。上述したように画像処理装置２０が送信した、
メディア指定情報が指定する印刷メディア用に生成された印刷データと当該メディア指定
情報とを、プリンター３０が受信する。
【００９７】
ステップＳ２１０では、制御部３１は、前記印刷データとともに受信したメディア指定
情報を取得し、当該メディア指定情報（メディア番号）に対応する印刷設定情報ＳＩを、
記憶部３２の印刷設定情報テーブル３２０から読み出す。プリンター３０は、印刷設定情
報テーブル３２０を有しているため、印刷データに基づく印刷処理を実行する際に、その
都度印刷管理装置１０にアクセスせずとも、印刷処理に必要な印刷設定情報ＳＩを取得す
ることができる。
【００９８】
次に、制御部３１は、ステップＳ２１０で読み出した印刷設定情報ＳＩに従ってプリン
ターエンジン３６各部の動作条件を設定する（ステップＳ２２０）。制御部３１は、前記
読み出した印刷設定情報ＳＩに従って、例えば、ヒーターの温度、搬送機構による印刷メ
ディアの搬送、印刷メディアの乾燥時間、プラテンギャップ、クリーニング頻度等の様々
な項目を設定する。そして、制御部３１は、前記受信した印刷データをプリンターエンジ
ン３６に転送し、プリンターエンジン３６に、前記受信したメディア指定情報が指定する
印刷メディアへの、印刷データに基づく印刷を実行させる（ステップＳ２３０）。つまり
、制御部３１およびプリンターエンジン３６は、それらが協働することにより、印刷設定
情報ＳＩに従った設定で印刷データに基づく印刷を実行する印刷処理部として機能する。
【００９９】
制御部３１は、画像処理装置２０から印刷モード指定情報を含んだ印刷データを受信す
ることがある。制御部３１は、印刷モード指定情報を含んだ印刷データを受信した場合に
は、印刷モード指定情報が指定する印刷モードによりプリンターエンジン３６に印刷を実
行させる。例えば、制御部３１は、印刷モード指定情報が示す印刷モードのパス数に応じ
て、プリンターエンジン３６が有するキャリッジの動作や搬送機構の搬送タイミングを制
御することができる。以上により、ユーザーが指定したプリンター３０によるユーザーが
指定した印刷メディアへの印刷が完了する。
【０１００】
９．まとめ：
このように本実施形態では、印刷管理装置１０は、印刷メディアに応じた印刷に必要な
設定情報（印刷メディア用の印刷データの生成のために必要となる画像処理情報ＰＩや、
印刷メディアへの印刷のために必要となる印刷設定情報ＳＩ）を含んだメディア印刷情報
（メディアファイルＭＦ）を、プリンター３０毎に記憶するメディア印刷情報記憶部（記
憶部１２）を備える。そして、印刷管理装置１０は、メディア指定情報が指定する印刷メ
ディアに対応して記憶部１２に記憶されている画像処理情報ＰＩを、画像処理装置２０へ
送信可能である。画像処理装置２０は、印刷管理装置１０から取得した画像処理情報ＰＩ
に基づいて、メディア指定情報が指定する印刷メディア用の印刷データを生成し、メディ
ア指定情報と生成した印刷データとをプリンター３０へ送信する。プリンター３０は、メ
ディア指定情報と、メディア指定情報が指定する印刷メディア用に画像処理装置２０によ
り生成された印刷データとを受信する。
【０１０１】
印刷管理装置１０は、プリンター３０に対応付けて記憶部１２に記憶させる印刷設定情
報ＳＩを、プリンター３０へ送信可能である。プリンター３０は、印刷管理装置１０から
（例えば、印刷設定情報テーブル３２０を介在させて）取得した印刷設定情報ＳＩに従っ
た設定で、前記受信した印刷データに基づく印刷を実行する。つまり、画像処理装置２０
は、メディア指定情報が指定する印刷メディアに対応する画像処理情報ＰＩに基づいて印
刷データを生成し、プリンター３０は、当該メディア指定情報が指定する印刷メディアに
対応する印刷設定情報ＳＩに従った設定を採用して印刷データに基づく印刷を行うことが
できる。そのため、画像処理装置２０が印刷データの生成に際して用いる画像処理情報Ｐ
Ｉと、プリンター３０が印刷データに基づく印刷に際して用いる印刷設定情報ＳＩとに不
整合（対応する印刷メディアの不一致）が生じず、品質の良好な印刷成果物が得られる。
【０１０２】
特に、ＲＩＰ装置（画像処理装置２０）においてＩＣＣプロファイルを用いたカラーマ
ッチング等により印刷メディアの特性に応じた精密な色合わせをした刷データを生成し、
ＬＦＰ（プリンター３０）で印刷メディアに応じた細かな印刷設定（例えば、ヒーター温
度やプラテンギャップ等の設定）を行った上で印刷データに基づく高画質な印刷成果物を
出力させる場面において、本実施形態は大きな効果を奏する。印刷データ生成時に対象と
していた印刷メディアと、プリンター３０による印刷設定時に対象とする印刷メディアと
が相違していると、印刷データと印刷設定とが最適な組み合わせとならず、結果、ユーザ
ーが期待する高画質な印刷成果物を得ることができない。しかし本実施形態によれば、上
述したような印刷メディアの不一致が確実に防がれるため、ユーザーが期待する高画質な
印刷成果物を得ることができる。
【０１０３】
また本実施形態によれば、印刷管理装置１０は、プリンター３０に関する設定画面１６
４であって、メディア印刷情報（メディアファイルＭＦ）を印刷メディア毎に複数表示可
能な第１メディアリスト表示欄１６６と、第１メディアリスト表示欄１６６が表示するメ
ディアファイルＭＦの中から選択されたメディアファイルＭＦを複数表示可能な第２メデ
ィアリスト表示欄１６７と、を含む設定画面１６４を表示する。また、印刷管理装置１０
の記憶部１２は、第１メディアリスト表示欄１６６が表示する印刷メディア毎のメディア
ファイルＭＦを記憶する第１記憶部（第１記憶領域１２ａ）と、第１メディアリスト表示
欄１６６から選択されたメディアファイルＭＦ（第２メディアリスト表示欄１６７が表示
するメディアファイルＭＦ）をプリンター３０に対応付けて記憶する第２記憶部（第２記
憶領域１２ｂ）とを有する。さらに印刷管理装置１０は、第２メディアリスト表示欄１６
７が表示するメディアファイルＭＦの中から選択されたメディアファイルＭＦに含まれる
設定情報の少なくも一部に対する編集を受け付け、当該受け付けた編集後の設定情報によ
り、第２記憶部が記憶するメディアファイルＭＦを更新する。
【０１０４】
従ってユーザーは、設定画面１６４の第１メディアリスト表示欄１６６からメディアフ
ァイルＭＦを選択して第２メディアリスト表示欄１６７へコピーする操作を行うことによ
り、印刷のために利用する（プリンター３０に設定する）印刷設定情報ＳＩを含んだメデ
ィアファイルＭＦを容易に選択し、当該プリンター３０へ対応付けることができる。また
ユーザーは、このようにプリンター３０へ対応付けたメディアファイルＭＦの印刷設定情
報ＳＩを任意に編集することができる。つまり本実施形態によれば、プリンター３０への
印刷メディア毎の印刷設定情報ＳＩの設定や編集の操作性、利便性が向上する。
【０１０５】
１０．その他の実施例：
本実施形態は、以下に説明するような各種実施例を含む。むろん、各実施形態や各実施
例を適宜組み合わせた構成も本発明の開示範囲に含まれる。
図１１は、一実施例にかかる設定画面１６４を含んだＵＩ画面１６０を示している。設
定画面１６４は、第１表示欄（第１メディアリスト表示欄１６６）において選択されたメ
ディア印刷情報（メディアファイルＭＦ）に含まれる設定情報を表示する第１設定情報表
示欄１７３と、第２表示欄（第２メディアリスト表示欄１６７）において選択されたメデ
ィアファイルＭＦに含まれる設定情報を表示する第２設定情報表示欄１７４とを更に有す
る。
【０１０６】
図１１の例では、第１設定情報表示欄１７３は、第１メディアリスト表示欄１６６の下
方に配置されており、第１メディアリスト表示欄１６６で現在選択されているメディアフ
ァイルＭＦの詳細（メディア基本情報ＭＩや印刷設定情報ＳＩの一部あるいは全部）を表
示している。また、第２設定情報表示欄１７４は、第２メディアリスト表示欄１６７の下
方に配置されており、第２メディアリスト表示欄１６７で現在選択されているメディアフ
ァイルＭＦの詳細（メディア基本情報ＭＩや印刷設定情報ＳＩの一部あるいは全部）を表
示している。つまり、制御部１１は、第１メディアリスト表示欄１６６、第２メディアリ
スト表示欄１６７それぞれにおける選択状況および記憶部１２（１２ａ，１２ｂ）に記憶
されている情報に基づいて、これら第１設定情報表示欄１７３および第２設定情報表示欄
１７４を表示する。
【０１０７】
第２メディアリスト表示欄１６７に登録されたメディアファイルＭＦは、上述したよう
に印刷設定情報ＳＩ等が編集され得る。従って、第１メディアリスト表示欄１６６、第２
メディアリスト表示欄１６７の両方で同じ印刷メディアのメディアファイルＭＦが選択さ
れている場合であっても、第１設定情報表示欄１７３と第２設定情報表示欄１７４に表示
される内容が一部で相違することもある。このような第１設定情報表示欄１７３、第２設
定情報表示欄１７４によれば、メディアファイルＭＦの詳細や、印刷設定情報ＳＩ等への
編集結果を設定画面１６４上でユーザーに視認させることができ、ユーザーの利便性がよ
り高まる。
【０１０８】
他の実施例として、前記編集部は、第２表示欄（第２メディアリスト表示欄１６７）が
表示するメディア印刷情報（メディアファイルＭＦ）毎に編集の可否を制御する。例えば
、ユーザーは、第２メディアリスト表示欄１６７のメディア番号を任意に選択し、当該メ
ディア番号に対応するメディアファイルＭＦをロックするための所定のロック操作を行う
。当該ロック操作に応じ、制御部１１は、設定画面１６４のプリンター３０および当該選
択されたメディア番号に対応付けて第２記憶領域１２ｂに記憶しているメディアファイル
ＭＦを非ロック状態からロック状態とする。制御部１１は、例えば、ロック状態としたメ
ディア番号に対応する第２メディアリスト表示欄１６７の“編集”の欄（図４，８，１１
参照）に、鍵等のマークをアイコン（ロックアイコン）として表示することにより、当該
メディア番号のメディアファイルＭＦがロック状態であることを示唆するとしてもよい。
【０１０９】
制御部１１は、ロック状態としたメディアファイルＭＦについては、以後、上述したよ
うな編集を不能とする。ロック状態のメディアファイルＭＦについては、例えば、第２メ
ディアリスト表示欄１６７において選択され編集ボタン１６９が操作されたとしても、編
集の対象としない（編集用画面１８０を表示しない）。より具体的な例として、制御部１
１は、ロック状態のメディアファイルＭＦが第２メディアリスト表示欄１６７において選
択された時点で、編集ボタン１６９をグレーアウト表示して操作不能とする。ただし、メ
ディアファイルＭＦのロック状態は、これを解除することができる。ロック解除の具体的
手順は種々考えられ、特に限定しない。制御部１１は、例えば、特定の権限が与えられた
ユーザーへ事前に付与されたパスワードの入力を伴うロック解除の操作を受け付けた場合
に限り、ロック解除の対象として指定されたメディアファイルＭＦのロック状態を解除し
て非ロック状態に戻すとしてもよい。制御部１１は、ロック状態を解除したメディアファ
イルＭＦについては、第２メディアリスト表示欄１６７における上述のロックアイコンの
表示を消す。
【０１１０】
プリンター３０には、機体毎に固有の誤差（設計上の理想値からのずれ）が存在する。
このような機体固有の誤差は、例えば、搬送機構による印刷媒体の搬送距離の誤差、印刷
ヘッドの吐出性能の誤差、キャリッジの往復移動によるいわゆる双方向印刷における往路
印刷と復路印刷との位置ずれ等、多岐に渡る。プリンター３０は、知られているように、
これら機体固有の誤差を補正して印刷を実行することにより理想的な印刷結果を得る。従
って、プリンター３０は、印刷メディア毎に最適な印刷設定値の一種として、このような
機体固有の誤差を補正するための各種補正値を、ユーザーの指示に応じて／あるいは自動
的に、取得する。
【０１１１】
機体固有の誤差は、同一機種のプリンター３０間でも異なる。そのため、機体固有の誤
差を補正するための前記補正値を複数のプリンター３０で共有することは適切ではない。
そこで本実施形態では、前記補正値は、メディアファイルＭＦ（およびバックアップファ
イル）に含まれる印刷設定情報ＳＩの概念に含めないこととする。上述したように、ある
プリンター３０に対応付けられたメディアファイルＭＦは、設定画面１６４の操作を通じ
て、他のプリンター３０へも対応付けられる可能性がある。前記補正値が、印刷設定情報
ＳＩの一種である場合、あるプリンター３０に対してのみ適切な前記補正値がコピーされ
て他のプリンター３０へも設定されてしまうが、本実施形態ではこのような事態を避ける
ことができる。
【０１１２】
あるいは、前記補正値は、メディアファイルＭＦに含まれる印刷設定情報ＳＩの概念に
含めるが、前記コピーの対象からは除外するとしてもよい。ただし、前記補正値は、印刷
管理装置１０がメディアサーバー６０からダウンロードするメディアファイルＭＦに含ま
れている印刷設定情報ＳＩではなく、プリンター３０または印刷管理装置１０が取得する
情報である。上述したように印刷管理装置１０とプリンター３０との間では印刷設定情報
ＳＩが同期されるため、プリンター３０が取得した前記補正値は、印刷管理装置１０も印
刷設定情報ＳＩの一種として記憶することになる。制御部１１は、設定画面１６４への操
作に応じて、第１メディアリスト表示欄１６６に表示されたいずれかのメディアファイル
ＭＦ（あるいはバックアップファイル）をコピーして第２メディアリスト表示欄１６７へ
登録する際、当該メディアファイルＭＦが印刷設定情報ＳＩの一種として含んでいる前記
補正値についてはコピーの対象から除外して第２メディアリスト表示欄１６７へ登録する
（設定画面１６４のプリンター３０に対応付けて第２記憶領域１２ｂに記憶させる）。こ
れにより、あるプリンター３０に対してのみ適切な前記補正値がコピーされて他のプリン
ター３０へも設定されることを、避けることができる。
【０１１３】
プリンター３０は、印刷設定情報テーブル３２０を有さないものであってもよい。この
場合、プリンター３０の制御部３１は、上述したように印刷データをメディア指定情報と
ともに受信したら、印刷管理装置１０へアクセスし、印刷管理装置１０の記憶部１２に、
自身（プリンター３０）に対応付けて記憶されている印刷メディア毎のメディアファイル
ＭＦの印刷設定情報ＳＩのうち、メディア指定情報が指定する印刷メディアに対応する印
刷設定情報ＳＩを取得する。そして、制御部３１は、印刷管理装置１０から取得した印刷
設定情報ＳＩを用いて、ステップＳ２２０，Ｓ２３０（図１０）の処理を実行する。かか
る構成によれば、プリンター３０が印刷設定情報テーブル３２０を保有する負担から解放
される。
【０１１４】
一方、画像処理装置２０は、プリンター３０や印刷メディアの指定の受け付けに必要な
情報や画像処理情報ＰＩを格納した画像処理情報テーブル２２０を印刷管理装置１０から
取得し、記憶部２２に記憶させるとしてもよい（図１参照）。画像処理情報テーブル２２
０は、メディアテーブルＭＴから印刷設定情報ＳＩを除いた情報を含んだテーブルと言え
る。そして、画像処理装置２０の制御部２１は、画像処理情報テーブル２２０に格納され
ているプリンター識別情報やメディア基本情報ＭＩ等に基づいて前記印刷条件入力ＵＩ画
面を表示部２３に表示させることによりプリンター３０および印刷メディアの指定をユー
ザーから受け付ける。そして、指定されたプリンター３０および指定された印刷メディア
に対応する画像処理情報ＰＩを画像処理情報テーブル２２０から読み出して、ステップＳ
１３０，Ｓ１４０（図９）の処理を実行する。かかる構成によれば、画像処理装置２０は
、画像処理情報テーブル２２０を有しているため、印刷データを生成する際に、その都度
印刷管理装置１０にアクセスせずとも、印刷データの生成に必要な画像処理情報ＰＩを取
得することができる。
【０１１５】
印刷管理装置１０は、ＬＡＮ４０の外のクラウドサーバー上で実現されており、画像処
理装置２０、プリンター３０のそれぞれとは、公衆通信回線であるインターネット通信網
５０を介して通信するとしてもよい。当該クラウドサーバーは、メディアサーバー６０と
同様に、インターネット通信網５０を介したクラウドサービスを提供するクラウド環境の
一部（仮想サーバー）として実現されたり、物理サーバーにより実現されたりする。当該
クラウドサーバーとメディアサーバー６０は共通のサーバーであってもよい。このような
構成によれば、印刷管理装置１０に該当するクラウドサーバー上に、メディアテーブルＭ
Ｔを記憶する記憶部１２が存在することになる。そのため、画像処理装置２０やプリンタ
ー３０は、インターネット通信網５０に接続可能な状況であれば、画像処理情報ＰＩや印
刷設定情報ＳＩといった必要な情報を必要なタイミングでその都度、クラウドサーバーか
ら取得することができる。よって、画像処理装置２０やプリンター３０は、画像処理情報
テーブル２２０や印刷設定情報テーブル３２０を保有する負担から開放される。
【０１１６】
画像処理装置２０が搭載する画像処理プログラム２６は、ＲＩＰソフトウェアであるだ
けでなく、印刷データを生成し、プリンター３０を制御して印刷データに基づく印刷を実
行させるプリンタードライバーとして機能するものであってもよい。
また、これまで説明したソフトウェアとして実現される機能は、ハードウェアにより実
現されるとしてもよい。
【０１１７】
また、メディアサーバー６０が有するメディアリスト６１は、コンピューターに着脱可
能な可搬型メモリー（例えば、ＵＳＢメモリー）や光ディスクなどの種々の記憶媒体に記
憶された状態でユーザーに配布されてもよい。例えば、設定画面１６４内には、これら記
憶媒体からメディアリスト６１（複数のメディアファイルＭＦ）をインポートするための
所定のアイコン（不図示）が表示されているとする。ユーザーが当該アイコンを操作した
ことを契機として、制御部１１は、印刷管理装置１０に挿入された記憶媒体からメディア
ファイルＭＦをインポートし、設定画面１６４のプリンター３０に対応付けて記憶部１２
（第１記憶領域１２ａ）に記憶させることができる。
【０１１８】
これまでの例では、プリンター３０は、通信ＩＦ３５を介してＬＡＮ４０に接続されて
複数の端末（画像処理装置２０等）に共有され得るという点で、ネットワークプリンター
と言える。ただし、プリンター３０は、これまで説明した実施形態を実現可能な限り、例
えば、印刷管理装置１０に対してケーブル等を介してローカル接続された態様であっても
よい。また、画像処理装置２０は同様に、これまで説明した実施形態を実現可能な限り、
印刷管理装置１０に対してケーブル等を介してローカル接続された態様であってもよい。
プリンター３０や画像処理装置２０がローカル接続されることで、これら装置におけるセ
キュリティが向上する。印刷管理装置１０は、上述したようにインターネット通信網５０
に接続していてもよいし、画像処理装置２０やプリンター３０が必要とする印刷メディア
毎のメディアファイルＭＦを格納したメディアテーブルＭＴを有している状態では、イン
ターネット通信網５０から遮断された状態であってもよい。例えば、画像処理装置２０は
、印刷データ等のプリンター３０へ送信すべき情報を、印刷管理装置１０へ送信し、プリ
ンター３０は、画像処理装置２０から送信された印刷データ等の情報を、印刷管理装置１
０を介して受信することができる。
【０１１９】
さらに、印刷管理装置１０は画像処理装置２０と共通の筐体内に実現されているとして
もよい。つまり、印刷管理装置１０は、実態として画像処理装置２０を兼ねている。従っ
て、印刷管理装置１０は、印刷管理プログラム１６の他に、画像処理プログラム２６も搭
載している。画像処理装置２０を兼ねる印刷管理装置１０に対しては、プリンター３０が
ケーブル等を介してローカル接続される。あるいは、画像処理装置２０を兼ねる印刷管理
装置１０とプリンター３０とは、インターネット通信網５０を介して通信するとしてもよ
い。さらに、装置１０，２０，３０間のローカル接続は、有線ではなく、アドホックモー
ドによる直接的な無線通信により実現されてもよい。
【符号の説明】
【０１２０】
１…システム、１０…印刷管理装置、１１…制御部、１２…記憶部、１３…表示部、１４
…操作受付部、１５…通信ＩＦ、１６…印刷管理プログラム、２０…画像処理装置、２１
…制御部、２２…記憶部、２３…表示部、２４…操作受付部、２５…通信ＩＦ、２６…画
像処理プログラム、３０…プリンター、３１…制御部、３２…記憶部、３３…表示部、３
４…操作受付部、３５…通信ＩＦ、３６…プリンターエンジン、５０…インターネット通
信網、６０…メディアサーバー、６１…メディアリスト、１６０…ＵＩ画面、１６１，１
６２，１６３…タブ、１６４…設定画面、１６６…第１メディアリスト表示欄、１６７…
第２メディアリスト表示欄、１９０…ダウンロード用画面、２２０…画像処理情報テーブ
ル、３２０…印刷設定情報テーブル、ＭＦ…メディアファイル、ＭＴ…メディアテーブル
【図１】
2018097768.tif 000003
【図２】
2018097768.tif 000004
【図３】
2018097768.tif 000005
【図４】
2018097768.tif 000006
【図５】
2018097768.tif 000007
【図６】
2018097768.tif 000008
【図７】
2018097768.tif 000009
【図８】
2018097768.tif 000010
【図９】
2018097768.tif 000011
【図１０】
2018097768.tif 000012
【図１１】
2018097768.tif 000013